(57)【要約】【課題】湯水に浸かりながらシャワー浴を行うことができ、かつ、介助作業性のよい搬送車及び入浴装置を提供すること、加えて効率よく入浴作業が行える搬送車及び入浴装置を提供する。【解決手段】搬送車１は乗部３と、貯湯マット６と、を備え、乗部３は、前方部位３１が後方部位３２に対して上方に傾斜可能であり、貯湯マット６は、底部６ａと、側部６ｂとを有し、側部６ｂの一部に開口部６ｂ３が設けられている。入浴装置は、この搬送車１と、噴射ノズル１０を有するシャワー浴槽９を備え、被介助者を乗せた搬送車１をシャワー浴槽９に挿入し、乗部３の前方部位３１を上方に傾斜させ、被介助者を貯湯マット６の湯水に浸からせながら、噴射ノズル１０により被介助者に湯水を浴びせて入浴させる。【選択図】図１
2019037535.tif 000002
【特許請求の範囲】
【請求項１】
被介助者を乗せるための乗部と、
前記被介助者が入る貯湯部材とを備え、
前記乗部は、前方部位が後方部位に対して上方に傾斜可能であり、
前記貯湯部材は、底部と、前記底部周囲に立設された側部とを有し、かつ、前記側部の一部に開口部が設けられ、前記貯湯部材は、前記開口部が前記乗部の前記前方部位に位置するように前記乗部に載置された、ことを特徴とする搬送車。
【請求項２】
前記乗部の前記前方部位を前記後方部位に対して上方に傾斜させて前記貯湯部材内に湯水を貯留させることが可能になっている、請求項１に記載の搬送車。
【請求項３】
前記貯湯部材の前記側部における前記開口部の近傍部位は、前記開口部に向けて、その立設高さが低くなっている、請求項１または２に記載の搬送車。
【請求項４】
前記貯湯部材及び前記乗部は、後方側に前記貯湯部材内の湯水を排出する排水口を有する、請求項１〜３のいずれかに記載の搬送車。
【請求項５】
前記乗部の全体は、その後方側が前方側に対して高さ位置が低くなるように傾斜可能である、請求項１〜４のいずれかに記載の搬送車。
【請求項６】
前記乗部の全体は、その後方側が前方側に対して高さ位置が低くなるように傾斜している、請求項１〜４のいずれかに記載の搬送車。
【請求項７】
前記貯湯部材は、前記乗部に着脱可能である、請求項１〜６のいずれかに記載の搬送車。
【請求項８】
前記貯湯部材は、収納可能である、請求項１〜７のいずれかに記載の搬送車。
【請求項９】
前記貯湯部材は、前記底部の厚みが、前方側が後方側に比べて厚くなっている、請求項１〜８のいずれかに記載の搬送車。
【請求項１０】
請求項１〜９のいずれかに記載の搬送車を用いる入浴装置であって、
噴射ノズルを有するシャワー浴槽を備え、
前記被介助者を乗せた前記搬送車を前記シャワー浴槽に挿入し、前記乗部の前記前方部位が前記後方部位に対して上方に傾斜した状態で、前記被介助者を前記貯湯部材の湯水に浸からせながら、前記噴射ノズルにより前記被介助者に湯水を浴びせて入浴させる、ことを特徴とする入浴装置。
【請求項１１】
被介助者を乗せる乗部と、前記被介助者が入る貯湯部材と、噴射ノズルと、を有するシャワー浴槽を備え、
前記乗部は、前方部位が後方部位に対して上方に傾斜可能であり、かつ、前記シャワー浴槽に組み付けられ、
前記貯湯部材は、底部と、前記底部周囲に立設された側部とを有し、かつ、前記側部の一部に開口部が設けられ、前記貯湯部材は、前記開口部が前記乗部の前記前方部位に位置するように前記乗部に載置され、
前記乗部の前記前方部位が前記後方部位に対して上方に傾斜した状態で、前記被介助者を前記貯湯部材の湯水に浸からせながら、前記噴射ノズルにより前記被介助者に湯水を浴びせて入浴させる、ことを特徴とする入浴装置。
【請求項１２】
乗部を横方向にスライド移動可能に載置する搬送車と、
噴射ノズルを有し、かつ、横付けされた前記搬送車から横方向にスライド移動されてくる前記乗部を載置するシャワー浴槽と、
を備え、
前記乗部は、前方部位が後方部位に対して上方に傾斜可能であり、
被介助者が入る貯湯部材は、底部と、前記底部周囲に立設された側部とを有し、かつ、前記側部の一部に開口部が設けられ、
前記貯湯部材は、前記開口部が前記乗部の前記前方部位に位置するように前記乗部に載置され、前記搬送車から前記乗部をスライド移動させ、前記乗部の前記前方部位が前記後方部位に対して上方に傾斜した状態で、前記被介助者を前記貯湯部材の湯水に浸からせながら、前記噴射ノズルにより前記被介助者に湯水を浴びせて入浴させる、ことを特徴とする入浴装置。
【請求項１３】
前記被介助者は、前記貯湯部材の前記開口部に頭部が位置するように前記貯湯部材に入って入浴することが可能である、請求項１０〜１２のいずれかに記載の入浴装置。
【請求項１４】
前記乗部における前記長さ方向の前記前方部位は、被介助者の少なくとも上半身の一部を支持する部分である、請求項１０〜１３のいずれかに記載の入浴装置。
【発明の詳細な説明】
【技術分野】
【０００１】
本発明は、被介助者を搬送するための搬送車、及び、被介助者をシャワー浴槽に入浴させるための入浴装置に関する。
【背景技術】
【０００２】
従来の入浴装置には下記の特許文献１に示すシャワー入浴装置がある。このシャワー入浴装置では、図１４に示すように、前面と左右両側面を切欠いた断面コ型の開口部を形成した本体（３０）と、シャワーストレッチャー（２１）とを備える。
【０００３】
シャワーストレッチヤー（２１）は、本体（３０）の開口部（３０Ａ）内に三方から搬入可能である。本体（３０）の開口部（３０Ａ）は、患者の頭部を残してカーテン（３１，３２）で開閉可能に覆われる。
【０００４】
かかるシャワー入浴装置では、被介助者の上方と下方に備えられたノズル（Ｎ）から湯水（シャワー）を被介助者に噴射してシャワー浴を行うようになっている。
【先行技術文献】
【特許文献】
【０００５】
【特許文献１】実開平０７−４２６３９号公報
【発明の概要】
【発明が解決しようとする課題】
【０００６】
従来のシャワー入浴装置では、上方のノズルから噴射される湯水（シャワー）は被介助者の身体に直接当たるが、下方のノズルから噴射されるシャワーはシャワーストレッチャーの担架を通過して被介助者に当たるようになっている。そのため、被介助者に対するシャワー圧が弱まり充分な温感を得難い。
【０００７】
ところで、このようなシャワー浴だけの場合に比べると、湯水に浸かりながらシャワー浴を行うほうが入浴感や温感が向上することが期待される。また、シャワー入浴装置を介護老人福祉施設や病院などで使用する場合、介助者による介助作業性に優れ、効率よく入浴作業が行えることが望ましい。
【０００８】
本発明は、湯水に浸かりながらシャワー浴を行うことができ、かつ、介助作業性のよい搬送車及び入浴装置を提供すること、加えて効率よく入浴作業が行える搬送車及び入浴装置を提供することを目的とする。
【課題を解決するための手段】
【０００９】
本発明は、上記目的を達成するため以下の手段を提供する。
【００１０】
(１)本発明に係る搬送車は、被介助者を乗せるための乗部と、前記被介助者が入る貯湯部材とを備え、前記乗部は、前方部位が後方部位に対して上方に傾斜可能であり、前記貯湯部材は、底部と、前記底部周囲に立設された側部とを有し、かつ、前記側部の一部に開口部が設けられ、前記貯湯部材は、前記開口部が前記乗部の前記前方部位に位置するように前記乗部に載置された、ことを特徴とする。
【００１１】
本発明によれば、当該搬送車をシャワー浴槽に挿入すると、貯湯部材内の湯水に浸かりながらシャワー浴槽からの噴射ノズルから噴射される湯水でシャワー浴を行うことができる。そのため、貯湯部材を使用しない通常のシャワー浴と比べて入浴感や温感を向上させることができる。また、貯湯マットは側部前方に開口部が設けられている。そのため、貯湯部材内の被介助者は当該貯湯部材の前記開口部に頭部が位置するように貯湯マットに仰臥することで、介助者は被介助者の洗髪作業が行い易い。
【００１２】
（２）本発明の好ましい実施態様では、前記乗部の前記前方部位を前記後方部位に対して上方に傾斜させて前記貯湯部材内に湯水が貯留可能である。
【００１３】
この実施態様によれば、前記貯湯部材が前方に開口部を有していても、前記貯湯部材に容易に湯水を貯留させることができる。
【００１４】
（３）本発明の好ましい実施態様では、前記貯湯部材の前記側部における前記開口部の近傍部位は、前記開口部に向けて、その立設高さが低くなっている。
【００１５】
この実施態様によれば、貯湯部材に仰臥して浸かっている被介助者の洗髪作業を容易に行うことができる。例えば、乗部の前方部位を後方部位に対して傾斜させていない状態で、搬送車の側方から被介助者の洗髪作業を行う際などに、側部が邪魔になり難く、作業性が良い。
【００１６】
（４）本発明の好ましい実施態様では、前記貯湯部材及び前記乗部は、後方側に前記貯湯部材内の湯水を排出する排水口を有する。
【００１７】
この実施態様によれば、入浴終了後、貯湯部材中の湯水を排出することができる。
【００１８】
（５）本発明の好ましい実施態様では、前記乗部全体は、その後方側が前方側に対して高さ位置が低くなるように傾斜可能である。
【００１９】
（６）本発明の好ましい実施態様では、前記乗部全体は、その後方側が前方側に対して高さ位置が低くなるように傾斜している。
【００２０】
これら前記(５)及び(６)の実施態様によれば、貯湯部材中の湯水が排水口側に集まるように乗部全体を傾斜させることができる。そのため、入浴終了後、貯湯部材中の湯水を素早く排出することができ、退浴作業時間が短縮され効率よく退浴作業を行うことができる。
【００２１】
（７）本発明の好ましい実施態様では、前記貯湯部材は、前記乗部に着脱可能である。
【００２２】
この実施態様によれば、貯湯部材が不要の場合は、取り外してシャワー浴を行うことができる。また、古くなった貯湯部材を新しい貯湯部材に交換することが容易である。
【００２３】
（８）本発明の好ましい実施態様では、前記貯湯部材は、収納可能である。
【００２４】
この実施態様によれば、貯湯部材を使用しないときは容易に折り畳んだり、丸めることで適宜の場所に収納することができる。
【００２５】
（９）本発明の好ましい実施態様では、前記貯湯部材は、前記底部の厚みが、前方側が後方側に比べて厚くなっている。
【００２６】
この実施態様によれば、入浴終了後、乗部が水平状態であっても貯湯部材中の湯水が排水口側に集まり素早く排出されるので、退浴作業時間が短縮され効率よく退浴作業を行うことができる。
【００２７】
（１０）本発明に係る第１の入浴装置は、前記（１）〜（９）のいずれかに記載の搬送車を用いる入浴装置であって、噴射ノズルを有するシャワー浴槽を備え、前記被介助者を乗せた前記搬送車を前記シャワー浴槽に挿入し、前記乗部の前記前方部位が前記後方部位に対して上方に傾斜した状態で、前記被介助者が前記貯湯部材の湯水に浸からせながら、前記噴射ノズルにより前記被介助者に湯水を浴びせて入浴させる、ことを特徴とする。
【００２８】
（１１）本発明に係る第２の入浴装置は、被介助者を乗せる乗部と、前記被介助者が入る貯湯部材と、噴射ノズルと、を有するシャワー浴槽を備え、前記乗部は、前方部位が後方部位に対して上方に傾斜可能であり、かつ、前記シャワー浴槽に組み付けられ、前記貯湯部材は、底部と、前記底部周囲に立設された側部とを有し、かつ、前記側部の一部に開口部が設けられ、前記貯湯部材は、前記開口部が前記乗部の前記前方部位に位置するように前記乗部に載置され、前記乗部の前記前方部位が前記後方部位に対して上方に傾斜した状態で、前記被介助者を前記貯湯部材の湯水に浸からせながら、前記噴射ノズルにより前記被介助者に湯水を浴びせて入浴させる、ことを特徴とする。
【００２９】
（１２）本発明に係る第３の入浴装置は、乗部を横方向にスライド移動可能に載置する搬送車と、噴射ノズルを有し、かつ、横付けされた前記搬送車から横方向にスライド移動されてくる前記乗部を載置するシャワー浴槽と、を備え、前記乗部は、前方部位が後方部位に対して上方に傾斜可能であり、被介助者が入る貯湯部材は、底部と、前記底部周囲に立設された側部とを有し、かつ、前記側部の一部に開口部が設けられ、前記貯湯部材は、前記開口部が前記乗部の前記前方部位に位置するように前記乗部に載置され、前記搬送車から前記乗部をスライド移動させ、前記乗部の前記前方部位が前記後方部位に対して上方に傾斜した状態で、前記被介助者を前記貯湯部材の湯水に浸からせながら、前記噴射ノズルにより被介助者に湯水を浴びせて入浴させる、ことを特徴とする。
【００３０】
（１３）前記（１０）〜（１２）のいずれかの入浴装置は、前記被介助者は、前記貯湯部材の前記開口部に頭部が位置するように前記貯湯部材に入って入浴することが可能になっている。
【００３１】
（１４）前記（１０）〜（１３）のいずれかの入浴装置は、前記乗部における長さ方向の前方部位は、被介助者の上半身を支持する部分である。
【００３２】
以上、本発明の（１０）〜（１４）の入浴装置によれば、湯水に浸かりながらシャワー浴を行うことができるので、シャワー浴だけの場合に比べて入浴感や温感を向上させることができる。また、貯湯部材は前方に開口部が設けられており、被介助者は貯湯部材の開口部に頭部が位置するように貯湯部材に仰臥することで、介助者による洗髪作業が行いやすい。
【発明の効果】
【００３３】
本発明によれば、湯水に浸かりながらシャワー浴を行うことができ、かつ、介助作業性のよい搬送車及び入浴装置を提供すること、加えて効率よく入浴作業が行える搬送車及び入浴装置を提供することができる。
【図面の簡単な説明】
【００３４】
【図１】搬送車の斜視図。
【図２】図１の搬送車において台車部を図示省略し乗部の前方部位が後方部位に対して上方に傾斜した状態を示す断面図。
【図３】乗部の傾斜の説明に用いる図１の搬送車の側面図。
【図４】乗部の前方部位が上方に傾斜する機構を説明するための部分斜視図。
【図５】貯湯マットの斜視図。
【図６】貯湯マットの変形例を示す断面図。
【図７】シャワー浴槽の斜視図。
【図８ａ】シャワー浴槽の天井下面の部分平面図。
【図８ｂ】図６ａの天井の一部を拡大して示す断面斜視図。
【図８ｃ】図６ｂの一部を拡大して示す断面斜視図。
【図９】入浴装置の斜視図。
【図１０ａ】乗部の傾斜の説明に用いる他の搬送車の側面図。
【図１０ｂ】乗部の傾斜の説明に用いる他の搬送車の側面図。
【図１０ｃ】乗部の傾斜の説明に用いる他の搬送車の側面図。
【図１１ａ】乗部が水平状態にある、さらに他の搬送車の側面図。
【図１１ｂ】乗部が傾斜状態にある、さらに他の搬送車の側面図。
【図１２】別の入浴装置の側面図。
【図１３】さらに別の入浴装置の斜視図。
【図１４】従来の入浴装置の斜視図。
【発明を実施するための形態】
【００３５】
以下、添付した図面を参照して、本発明の実施形態に係る搬送車及びこれを用いる入浴装置を説明する。
【００３６】
以下、図１〜図４を参照して搬送車を説明する。
【００３７】
図１を参照して、搬送車１は、台車部２と、乗部３と、フレーム部４と、サイドフェンス５と、を備える。台車部２は、複数の車輪２ａ、操作ペダル２ｂ、等が設けられている。乗部３は、長さ方向において前方部位３１と後方部位３２とを有する。フレーム部４は、台車部２と乗部３との間に設けられたリンク機構であり、第１リンク片４ａと、第２リンク片４ｂと、乗部３を保持する保持フレーム４ｃとから構成されている。サイドフェンス５は、乗部３の幅方向両側に設けられて起立・倒伏可能になっている。図示ではサイドフェンス５は、起立している。
【００３８】
乗部３は、後述するように下限位置と上限位置との間で乗部３全体が傾斜しながら昇降できるようになっており、また図２、図４に示すように、前方部位３１は、後方部位３２に対して上方に傾斜可能となっている。前記傾斜の過程で、被介助者は、前方部位３１でその上半身の一部が支持される。ここで、被介助者の上半身の一部とは、肩甲骨より上の部分であることが好ましい。
【００３９】
図３を参照して乗部３全体を傾斜させる機構を説明する。
【００４０】
図３は乗部３が上限位置にある状態を示しており、乗部３が下限位置にある状態を仮想線で示している。フレーム部４は、図１に示すように、第１リンク片４ａと、第２リンク片４ｂと、乗部３を保持する保持フレーム４ｃとから構成されている。第１リンク片４ａ及び第２リンク片４ｂは、それぞれ下部接続部４ａ１、４ｂ１で台車部２に軸支されており、それぞれ下部接続部４ａ１、４ｂ１の回りに回動可能である。
【００４１】
第１リンク片４ａ及び第２リンク片４ｂは、それぞれ上部接続部４ａ２、４ｂ２で保持フレーム４ｃに軸支されており、それぞれ上部接続部４ａ２、４ｂ２の回りに回動可能である。アクチュエータ部材１０５の駆動によって第１リンク片４ａが下部接続部４ａ１の回りに回動することで、保持フレーム４ｃが下限位置と上限位置との間で昇降する。
【００４２】
ここで、下部接続部４ａ１と上部接続部４ａ２との距離に比べて、下部接続部４ｂ１と上部接続部４ｂ２との距離を長く設定しており、保持フレーム４ｃは下限位置では水平状態であり、下限位置から上限位置まで上昇するにつれて、保持フレーム４ｃは左側に傾斜する。すなわち、上部接続部４ｂ２の高さ位置が上部接続部４ａ２の高さ位置に比べて高くなる。したがって、乗部３は下限位置で水平状態であり、上限位置で例えば水平に対して１°傾斜した状態になる。
【００４３】
図４を参照して乗部３の前方部位３１を後方部位３２に対して傾斜させる機構を説明する。
【００４４】
乗部３の前方部位の背面には長孔を有するロッド保持部１２１が設けられ、ロッド保持部１２１の長孔を通って、乗部３の幅方向に伸長したロッド１２２が設けられている。ロッド１２２にはロッド貫通部１２３が嵌められており、ロッド貫通部１２３はワイヤー１２４によってロッド操作部１２５に接続されている。ロッド貫通部１２３には、ばね部材によって後方の方向に引っ張られる力が発生している。
【００４５】
保持フレーム４ｃには規制板１２６が設けられ、規制板１２６の規制孔１２７にロッド１２２が嵌められている。規制孔１２７は、下方から斜め上方に形成された縦孔１２７ａと、縦孔１２７ａの上端から横方向に伸びる横孔１２７ｂとから構成されている。
【００４６】
乗部３全体が水平状態であるとき、乗部３の掴み部３３を上方に引き上げることで乗部３の前方部位３１は傾動し、ロッド１２２は規制孔１２７の縦孔１２７ａに沿って上昇した後、ロッド貫通部１２３に発生している後方への力によって、ロッド１２２は横孔１２７ｂに沿って移動して横孔１２７ｂの先端部に到る。これにより、乗部３の前方部位３１が後方部位３２に対して傾斜した状態で保持される。乗部３の前方部位３１を水平状態に戻すときは、ロッド操作部１２５を操作してロッド１２２を横孔１２７ｂに沿って縦孔１２７ａまで移動させる。すると、前方部位３１は自重によって下方に移動して水平状態に戻る。なお、乗部３全体が傾斜した状態においても、上記と同様に乗部３の掴み部３３とロッド操作部１２５を操作して、乗部３の前方部位３１を傾動させることができる。
【００４７】
乗部３には、貯湯マット（貯湯部材）６が設けられる。貯湯マット６は、図１及び図２において乗部３に搭載された状態で示され、図５において単独で図示されている。
【００４８】
貯湯マット６は、比較的軟質の芯材をターポリンなどのポリエステル繊維からなる外装材で覆ってマット形状にしたものであり、その全体を長さ方向に折り畳んだり、あるいは、丸めたりして適宜場所に収納可能であるが、貯湯マット６は、実施形態のそれには限定されない。
【００４９】
貯湯マット６は、平面視矩形形状の底部６ａと、底部６ａ周囲に立設された側部６ｂとを有する。側部６ｂは、左右両側面６ｂ１と、後方の側面６ｂ２とを含み、前方には側面が形成されず、開口部６ｂ３となっている。貯湯マット６は、開口部６ｂ３が乗部３の前方部位３１に位置するように乗部３に載置される。貯湯マット６の底部６ａの前方に枕部３０が載置される。
【００５０】
貯湯マット６の両側面６ｂ１において、開口部６ｂ３の近傍部位６ｂ４は、その立設高さが、前方に向けて直線的に低くなっている。貯湯マット６は、乗部３に載置された状態で乗部３の前方部位３１が後方部位３２に対して上方に傾斜すると、開口部６ｂ３の近傍部位６ｂ４が、上方に傾斜して、貯湯マット６に湯水（図示略）が貯留されるとともに、貯湯マット６上において、被介助者の頭部は上方に持ち上げられた状態で開口部６ｂ３から前方側に露出し、これにより介助者は被介助者の頭髪を容易に洗髪できるようになる。なお、貯湯マット６において、左右両側面６ｂ１、後方の側面６ｂ２、及び近傍部位６ｂ４には、前記芯材が入っているが、近傍部位６ｂ４の上方への傾斜のため、両側面６ｂ１と近傍部位６ｂ４とのつなぎ部分には芯材は入っていない。左右両側面６ｂ１と後方の側面６ｂ２とのつなぎ部分にも芯材は入っていない。また、貯湯マット６の底部６ａには芯材は無いが、底部６ａに芯材を設けてもよい。
【００５１】
貯湯マット６及び乗部３それぞれの後方には、貯湯マット６に貯留している湯水を外部に排出するための排水口７，８が設けられている。図２及び図５では、排水口７，８は幅方向の中央部に設けられているが、排水口７，８の設置箇所は、これに限らず、幅方向の端側に設けてもよい。なお、図示を省略しているが、貯湯マット６の排水口７を開閉するための蓋が設けられている。
【００５２】
また、貯湯マット６は、上記構成に限定されるものではなく、例えば、図６に示すものでもよい。図６の貯湯マット６では、底部６ａ側の芯材６ｃ１，６ｃ２と、左右両側面６ｂ１、後方の側面６ｂ２及び近傍部位６ｂ４それぞれを構成する芯材６ｃ３と、それら芯材６ｃ１〜６ｃ３を覆う外装材６ｄとを含む。芯材６ｃ１と６ｃ２との間、及び芯材６ｃ１と６ｃ３との間には芯材は入っていない。また、左右両側面６ｂ１と後方の側面６ｂ２とのつなぎ部分、及び、左右両側面６ｂ１と近傍部位６ｂ４とのつなぎ部分にも芯材は入っていない。この貯湯マット６においては、底部６ａの厚みが、前方側が後方側よりも漸次に厚くなる構成になっている。このような構成を有する貯湯マット６にあっては、入浴終了後、乗部３の後方部位３２が水平状態のままであっても、貯湯マット６中の湯水は排水口７側に集まり素早く排水することができる。
【００５３】
なお、貯湯マット６は乗部３に着脱可能に装着される。例えば、貯湯マット６をサイドフェンス５に形成された貫通孔５ａに図示略の着脱用紐で結び付け、また、取り外す場合は着脱用紐をサイドフェンス５からほどけばよい。このようにすることで、乗部３上で貯湯マット６の位置がずれたり、乗部３から貯湯マット６が脱落することを抑止できる。また、貯湯マット６の両側面６ｂ１が内側へ倒れることを抑止できる。貯湯マット６が不要の場合は、取り外してシャワー浴を行うことができる。また、貯湯マット６が古くなれば新しいものに交換することができる。
【００５４】
また、貯湯マット６の底部６ａの形状は長方形の例を示したが、例えば、底部６ａの後方側の端部形状が、台形状や円弧形状などでもよい。
【００５５】
図７及び図８ａ〜８ｃを参照してシャワー浴槽９を説明する。
【００５６】
シャワー浴槽９は、固定台部９ａと側部９ｂと天井部９ｃとで側面視片仮名の「コ」の字形状となり、左右両側方及び前方が開放されている。固定台部９ａや側部９ｂには、被介助者の洗髪、洗身等のためのハンドシャワー１１が複数備えられている。固定台部９ａは、その上面９ａ１が後方へ若干傾斜していると共に、その周縁が上方からの湯水が側方へ漏れないように適宜高さの壁９ａ２で囲まれ、また、上面９ａ１の後方部位に排水口９ａ３が設けられている。
【００５７】
天井部９ｃは、図８ａに示すように、複数の噴射ノズル１０が左右両側に対向配置されている。噴射ノズル１０は、天井部９ｃの下面に、それらの対向方向の中心位置からほぼ等距離離れて配置され、かつ、それらの湯水の噴射方向が固定台部９ａの上面９ａ１の中心に向かうように傾斜して設置されている。天井部９ｃは、図８ｂに示すように、上ケース９ｃ１と下ケース９ｃ２とからなり、両ケース９ｃ１，９ｃ２で囲まれる空間内部に噴射ノズル１０の配管１０ａ等が収納され、噴射ノズル１０は、下ケース９ｃ２に設けられている。下ケース９ｃ２は、噴射ノズル１０から噴射された湯水が飛散し天井部９ｃ下面に付着した水滴を側方に流して被介助者に当たり難くするため、上方に湾曲した形状に形成されている。
【００５８】
さらに、下ケース９ｃ２は、噴射ノズル１０の設置のため、図８ｂ、及び、その一部拡大図である図８ｃに示すように、窪み９ｅが設けられている。噴射ノズル１０は、窪み９ｅ内に配置されている。これにより、噴射ノズル１０は、窪み９ｅで包囲され、噴射ノズル１０から噴射される湯水が飛び散らずに、効率的に被介助者に湯水をかけられるようになっている。
【００５９】
図９を参照して、入浴装置１２を説明する。入浴装置１２は、上述した搬送車１とシャワー浴槽９とで構成される。搬送車１は、シャワー浴槽９に挿入され、シャワー浴槽９の固定台部９ａに連結される。このとき、乗部３はシャワー浴槽９の固定台部９ａに配置され、乗部３の前方部位３１が後方部位３２に対して上方に傾斜された状態で、被介助者は貯湯マット６の湯水に浸かりながら、噴射ノズル１０からの湯水を浴びてシャワー浴をすることができる。
【００６０】
搬送車の他の構成を説明する。
【００６１】
他の搬送車としては、乗部３が下限位置から所定位置まで水平を保ちながら上昇し、所定位置から上限位置まで上昇するにつれて乗部３全体が傾斜するものがある。図１０ａ〜図１０ｃを参照して乗部３全体を傾斜させる機構を説明する。
【００６２】
図１０ａにおいて乗部３は、上下方向の下限位置にある。図１０ｂにおいて、乗部３は水平が維持される上限の位置（「水平上限」とする）にあり、この位置より上昇すると乗部３全体は傾斜する。図１０ｃにおいて、乗部３は上限位置にあり、乗部３全体は傾斜している状態にある。
【００６３】
台車フレーム１０１、第１リンク片１０２、第２リンク片１０３及び第１フレーム１０４は平行リンクを構成し、アクチュエータ部材１０５の駆動によって第１リンク片１０２がピン１０２ａの回りに回動することで、第１フレーム１０４は水平状態で昇降する（図１０ａ〜図１０ｃ）。
【００６４】
第２フレーム１０６は、第１フレーム１０４にピン１０４ａで軸支されており、ピン１０４ａの回りに回動可能である。乗部３は、第２フレーム１０６に固定されている。
【００６５】
図１０ｂは、第１リンク片１０２の先端１０２ｂが、第２フレーム１０６の一部分に接触した状態である。
【００６６】
図１０ａから図１０ｂの状態に乗部３が上昇し、さらに第１リンク片１０２がピン１０２ａの回りを左回りに回動すると、第１フレーム１０４は水平状態で上昇するとともに、第１リンク片１０２の先端１０２ｂが第２フレーム１０６の一部分を押し上げるため、第２フレーム１０６がピン１０４ａの回りを左周りに回動して傾斜する（図４ｃ）。
【００６７】
第３リンク片１０７の一端部に取り付けられた係合部材１０７ａは、被係合部材１０８の水平溝１０８ａ及び斜め溝１０８ｂに嵌められている。第３リンク片１０７の他端部は第２リンク片１０３に回動可能に取り付けられている。第２フレーム１０６が下限から水平上限まで上昇するとき（図１０ａ→図１０ｂ）、係合部材１０７ａは被係合部材１０８の水平溝１０８ａを移動し、第２フレーム１０６が水平上限から上限まで上昇して傾斜するとき（図１０ｂ→図１０ｃ）、係合部材１０７ａは被係合部材１０８の斜め溝１０８ｂを移動する。例えば、乗部３の後方側の端部を上から下へ押す力のように、乗部３をピン１０４ａの回りに回動させる力が加わったとしても、被係合部材１０８の左回りの回転が係合部材１０７ａによって制限されるため、乗部３が回動することが抑制され、安全である。
【００６８】
さらに他の搬送車としては図１１ａ及び図１１ｂに示すものがある。これらの図に示す搬送車４１は、乗部３は昇降することなく水平状態で所定の高さ位置に配置されており（図１１ａ参照）、乗部３の後方部位３２の高さ位置が前方部位３１に比べて低くなるように乗部３全体を傾斜させることが可能な構成になっている（図１１ｂ参照）。第１フレーム４２は台車部２に固定されており、乗部３が取り付けられた第２フレーム４３は、第１フレーム４２にピン４４で軸支されており、ピン４４の回りに回動可能である。第２フレーム４３には規制板４５の端部が回動可能に取り付けられ、規制板４５にはコの字形状の規制孔４６が設けられている。規制孔４６には、第１フレーム４２に固定されたロックピン４７が嵌められている。第２フレーム４３が水平な状態（図１１ａ）から、規制板４５に取り付けられた傾斜操作部４８を、左回転、上方に移動、右回転のように操作することで、ロックピン４７を規制孔４６の上側から移動させて下側に嵌めることで、第２フレーム４３を傾斜させた状態（図１１ｂ）にすることができる。
【００６９】
また、さらに他の搬送車として、乗部３の後方部位３２の高さ位置が前方部位３１に比べて低くなるように乗部３全体が傾斜しており、その傾斜角度が不変である構成の搬送車でもよく、その場合の乗部３について、昇降可能である搬送車、または、昇降しない搬送車のいずれであってもよい。
【００７０】
以上の構成の各搬送車においては、乗部３における後方側が前方側に対して高さ位置が低くなるように、乗部３全体が傾斜可能になっている、または、乗部３全体が傾斜している。このように乗部３全体が傾斜していると、入浴終了後は、貯湯マット６中の湯水を貯湯マット６及び乗部３それぞれの排水口７，８から素早く排出させることができ、退浴に要する作業時間が短縮され効率よく入浴作業を行うことができる。
【００７１】
本発明においては、入浴装置は、上記入浴装置１２に限定されない。
【００７２】
（１）図１２に示す入浴装置１３は、シャワー浴槽９と、乗部３と、貯湯マット６とを有する。この入浴装置１３では、搬送車１を備えてなくて、シャワー浴槽９に乗部３と貯湯マット６とが組み付けられている。勿論、乗部３はシャワー浴槽９から取り外し可能であり、貯湯マット６も乗部３に装着、取り外し可能である。入浴装置１３は、乗部３全体が傾斜可能である。貯湯マット６と乗部３には、それぞれ、排水口７，８が形成されている。乗部３全体を傾斜させる基本機構は、図１１ａ、図１１ｂの搬送車４１と同様であり、以下の構成を有する。すなわち、第１フレーム５１はシャワー浴槽９の固定台部９ａに取り付けられている。乗部３が取り付けられた第２フレーム５２は、第１フレーム５１にピン５３で軸支されており、ピン５３の回りに回動可能である。第２フレーム５２には規制板５４の端部が回動可能に取り付けられ、規制板５４にはコの字形状の規制孔５５が設けられている。規制孔５５には、第１フレーム５１に固定されたロックピン５６が嵌められている。規制板５４に取り付けられた傾斜操作部５７を、搬送車４１の傾斜操作部４８と同様に操作することで乗部３全体を水平な状態と傾斜した状態とに切り替えることができる。なお、傾斜操作部５７を上方に引き上げる際にストッパー５８で移動が規制される。乗部３全体が水平状態のときストッパー５８の近傍で第１フレーム１４と第２フレーム１５とが接触する構造になっており、乗部３全体を傾斜状態から水平状態に戻すときの第２フレーム５２の移動が規制される。また、ダンパー５９によって第２フレーム５２の急激な移動を緩和する構造になっている。
【００７３】
入浴装置１３において、シャワー浴槽９は、既述のシャワー浴槽９と同様に噴射ノズル１０を具備しており、乗部３は、既述の乗部３と同様、長さ方向の前方部位３１が前記長さ方向の後方部位３２に対して上方に傾斜可能である。
【００７４】
入浴装置１３において、貯湯マット６も、既述の貯湯マット６と同様、底部と、その底部周囲に立設された側部とを有し、かつ、前記側部の一部に開口部が設けられ、その開口部が乗部の前方部位に位置するように乗部３に載置可能である。かかる入浴装置１３によれば、乗部３の前方部位３１が後方部位３２に対して上方に傾斜した状態で、被介助者は、貯湯マット６の湯水に浸りながら、噴射ノズルにより湯水を浴びて入浴することが可能である。
【００７５】
（２）図１３に示す入浴装置１５においては、搬送車１６とシャワー浴槽１７とを有する。搬送車１６は、台車部１８と、長手方向２つに分離したフレーム部１９ａ，１９ｂと、フレーム部１９ａ，１９ｂそれぞれの上に設けられた上面部２０ａ，２０ｂと、上面部２０ａ，２０ｂ上の一対のレール（図１３では図示されない）と、一対のレール上に載置された担架（乗部）２１とを備える。搬送車１６はシャワー浴槽１７に横付けされ、担架２１は、搬送車１６からシャワー浴槽１７側にスライド移動可能になっている。
【００７６】
搬送車１６の担架２１には、既述の貯湯マット６と同様の貯湯マットが載置可能である。また、担架２１は、前述の乗部３と同様に、前方部位２１ａが傾動して後方部位２１ｂに対して上方に傾斜可能である。
【００７７】
シャワー浴槽１７は、既述のシャワー浴槽９と同様、固定台部１７ａと、側部１７ｂと、天井部１７ｃとを有し、天井部１７ｃに複数の噴射ノズル（図示略）を有する。固定台部１７ａには、搬送車１６の一対のレールと対応して平行に延びる一対のレール２２ａ，２２ｂが設けられている。
【００７８】
かかる入浴装置１５によれば、搬送車１６をシャワー浴槽１７に横付けし、搬送車１６上の担架２１を、搬送車１６のレールとシャワー浴槽１７のレール２２ａ，２２ｂとを介して、シャワー浴槽１７にスライド移動させれば、介助者は被介助者をシャワー浴槽１７の噴射ノズルから湯水を被介助者に浴びせてシャワー浴させることができる。このとき、担架２１の前方部位２１ａが後方部位２１ｂに対して上方に傾斜した状態で、被介助者は貯湯マット６の湯水に浸かりながら、噴射ノズルにより湯水を浴びて入浴することが可能である。なお、図６の貯湯マット６を担架２１上に載置すれば、担架２１の後方部位２１ｂが水平状態のままであっても、入浴後に貯湯マット６中の湯水が排水口７側に集まり素早く排水することができる。なお、図示は省略するが、シャワー浴槽１７に、レール２２ａをアクチュエータ等により昇降させる昇降機構を設け、担架２１の後方部位２１ｂが前方部位２１ａに対して高さ位置が低くなるよう担架２１全体を傾斜させるように構成してもよい。
【００７９】
以上説明したように、上述の実施形態によれば、湯水に浸かりながらシャワー浴を行うことができるので、シャワー浴だけの場合に比べて入浴感や温感を向上させることができる。また、貯湯マットは側部に開口部が設けられており、被介助者は開口部に頭部が位置するように貯湯マットに仰臥することで、介助者による洗髪作業が行いやすい。
【００８０】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００８１】
１  搬送車
２  台車部
３  乗部
４  フレーム部
５  サイドフェンス
６  貯湯マット
６ａ  底部
６ｂ  側部
６ｂ３  開口部
７  排水口
８  排水口
９  シャワー浴槽
９ａ  固定台部
９ｂ  側部
９ｃ  天井部
１０  噴射ノズル
１３  入浴装置
１５  入浴装置
４０  搬送車
４１  搬送車
【図１】
2019037535.tif 000003
【図２】
2019037535.tif 000004
【図３】
2019037535.tif 000005
【図４】
2019037535.tif 000006
【図５】
2019037535.tif 000007
【図６】
2019037535.tif 000008
【図７】
2019037535.tif 000009
【図８ａ】
2019037535.tif 000010
【図８ｂ】
2019037535.tif 000011
【図８ｃ】
2019037535.tif 000012
【図９】
2019037535.tif 000013
【図１０ａ】
2019037535.tif 000014
【図１０ｂ】
2019037535.tif 000015
【図１０ｃ】
2019037535.tif 000016
【図１１ａ】
2019037535.tif 000017
【図１１ｂ】
2019037535.tif 000018
【図１２】
2019037535.tif 000019
【図１３】
2019037535.tif 000020
【図１４】
2019037535.tif 000021